【事件の表示】
　特許第２９９５８５３号「インクジェット記録用インク」の請求項１に係る特許に対する特許異議の申立てについて、次のとおり決定する。
【結　論】
　訂正を認める。
　特許第２９９５８５３号の請求項１に係る特許を維持する。
【理　由】
I．手続の経緯
　本件特許第２９９５８５３号発明は、平成２年１１月２日に出願され、平成１１年１０月２９日にその特許の設定登録がなされ、その後、コニカ株式会社より特許異議の申立てがなされ、取消理由通知がなされ、その指定期間内である平成１３年１月９日に訂正請求がなされたものである。
　
II．訂正の適否
１．訂正事項
　訂正事項ａ：特許請求の範囲の請求項１記載の「・・・高沸点・低揮発性の水溶性有機溶剤・・・」を「・・・ポリビニルアルコール又はポリビニルピロリドンを含む高沸点・低揮発性の水溶性有機溶剤・・・」と訂正する。
　訂正事項ｂ：明細書第４頁５〜６行の「高沸点・低揮発性の水溶性有機溶剤」を「ポリビニルアルコール又はポリビニルピロリドンを含む高沸点・低揮発性の水溶性有機溶剤」と訂正する。
　訂正事項ｃ：明細書第５頁１３行〜第６頁２行の「高沸点・低揮発性の水溶性有機溶剤として」を「ポリビニルアルコール又はポリビニルピロリドンと他の高沸点・低揮発性の水溶性有機溶剤として」と訂正する。
　訂正事項ｄ：明細書第６頁３〜１０行の「これら高沸点・低揮発性の水溶性有機溶剤は、・・・使用することができ、」を「これら高沸点・低揮発性の水溶性有機溶剤は、水分が完全に蒸発した際、染料、水溶性高分子樹脂、各種添加剤等の固体成分がポリビニルアルコール又はポリビニルピロリドンを含む高沸点・低揮発性の水溶性有機溶剤に完全に溶解した状態を維持し、そのときの２０℃での粘度が３０ｍＰａ・ｓ以下になるようにポリビニルアルコール又はポリビニルピロリドンと他の高沸点・低揮発性の水溶性有機溶剤を１種あるいはそれ以上混合して使用することができ」と訂正する。
　訂正事項ｅ：明細書第８頁１５行〜第９頁３行の実施例３を削除する。
　訂正事項ｆ：明細書第９頁４行の「実施例４」を「実施例３」とする。
　訂正事項ｇ：明細書１５頁１〜１１行の「上記実施例及び比較例の・・・優れた結果が得られた。」を「上記実施例及び比較例のインクの水分含有量と粘度の関係を第２図に示し、それらのインクを用いた評価結果を表１に示す。第２図より、実施例１〜３（図中、実施例で示した領域の符号マル１〜マル３）のインクは、水分が完全に蒸発した時の粘度が３０ｍＰａ・ｓより小さく、比較例１〜２（図中、比較例で示した領域の符号マル１、マル２）のインクは、３０ｍＰａ・ｓより大きいことがわかり、表１より実施例１〜３の記録用インクは、印字品質（にじみ、濃度、耐水性・耐光性）、速乾性、定着性、目詰まり性、インク保持性、吐出安定性について、比較例に比べて優れた結果が得られた。」と訂正する。
　訂正事項ｈ：明細書第１６頁の表１の実施例３の欄を削除し、実施例の４の欄の「４Ｙ」を「３Ｙ」とする。
　訂正事項ｊ：明細書第１７頁３〜４行の「高沸点・低揮発性の水溶性有機溶剤」を「ポリビニルアルコール又はポリビニルピロリドンを含む高沸点・低揮発性の水溶性有機溶剤」と訂正する。
　訂正事項ｋ：第２図を、３つの実施例と２つの比較例を示した図に訂正する。
　
２．訂正の目的の適否、新規事項の有無及び拡張・変更の存否
　上記訂正事項ａに関連する記載として、特許明細書の実施例１、２、４には、ポリビニルアルコールまたはポリビニルピロリドンを含み、かつ高沸点・低揮発性の水溶性有機溶剤を含む記録用インクの例が記載されていることから、上記訂正事項ａは、特許明細書に記載された事項の範囲内において、高沸点・低揮発性の水溶性有機溶剤をポリビニルアルコール又はポリビニルピロリドンを含む高沸点・低揮発性の水溶性有機溶剤に限定するものであり、特許請求の範囲の減縮を目的とした明細書の訂正に該当するものであって、新規事項の追加に該当せず、また、実質上特許請求の範囲を拡張し、又は変更するものではない。
　また、上記訂正事項ｂ〜ｋの訂正は、訂正事項ａにより記載が一致せず不明りょうとなった発明の詳細な説明の記載内容を整合させることを目的とするものであり、明りょうでない記載の釈明に相当するものであって、新規事項の追加に該当せず、また、実質上特許請求の範囲を拡張し、又は変更するものではない。
　
３．むすび
　以上のとおりであるから、上記訂正は、特許法第１２０条の４第３項において準用する平成６年法律第１１６号による改正前の第１２６条第１項ただし書き、第２項、第３項の規定に適合するので、当該訂正を認める。
　
III．特許異議の申立てについての判断
１．申立理由の概要
　異議申立人は、証拠として、甲第１号証（特開昭６２−３０１６９号公報）、甲第２号証（特開昭６４−９２７９号公報）、甲第３号証（特開昭６４−６２３７２号公報）、甲第４号証（特開平１−２０３４８３号公報）、甲第５号証（特開平１−１４１９６５号公報）、甲第６号証（実験成績証明書）を提示し、訂正前の本件の請求項１に係る発明は、甲第１〜５号証に記載された発明であり、また、甲第１〜５号証に記載された発明に基づいて当業者が容易に発明をすることができたものであるから、その特許は、特許法第２９条第１項第３号及び同第２９条第２項の規定に違反してなされたものであり、取り消されるべきものである旨主張している。
　
２．取消理由の概要
　訂正前の本件の請求項１に係る発明は、証明書１（甲第６号証）の記載を参酌した刊行物１（甲第１号証）に記載された発明、及び証明書２（特許異議申立人が平成１２年９月２７日付け上申書に添付した参考資料２）の記載を参酌した刊行物２（特許異議申立人が平成１２年９月２７日付け上申書に添付した参考資料１（特開昭６３−３０６０７７号公報））と同一であるから、特許法第２９条第１項第３号の規定に違反してなされたものである。
　訂正前の本件の請求項１に係る発明を実施する手段について、詳細な説明には当業者が容易に実施できる程度に記載されていないから、訂正前の本件の請求項１に係る発明は特許法第３６条第３項の規定に違反してなされたものである。
　
３．本件発明
　上記II．で示したように上記訂正が認められるから、本件の請求項１に係る発明（以下、「本件発明」という。）は上記訂正請求に係る訂正明細書の特許請求の範囲の請求項１に記載された次のとおりのものである。
　「液体インクにより文字・画像の記録を行うインクジェットプリント装置に用いるインクジェット記録用インクにおいて、水と染料とポリビニルアルコール又はポリビニルピロリドンを含む高沸点・低揮発性の水溶性有機溶剤を含有し、水分が完全に蒸発した際に固体成分が高沸点・低揮発性の水溶性有機溶剤に完全に溶解した状態を維持し、その時の２０℃での粘度が３０ｍＰａ・ｓ以下であることを特徴とするインクジェット記録用インク。」
　
４．引用刊行物に記載の発明
　当審の取消理由で引用した刊行物１には、インクジェット記録液であって、「水溶性染料、水性媒体及び低級アルキレングリコールモノアリルエーテルを含有する記録液。」（特許請求の範囲第１項）が記載され、また、「得られた記録液を用いて、・・（イ）速乾性：・・・３０秒後印字部を指でこすり画像のずれの有無を判定した。・・・・（ロ）印字品位：・・・（ハ）記録液の長期保存性：・・・（ニ）吐出安定性：・・・（ホ）吐出応答性：・・・（ヘ）記録画像の品質：・・・」が記載されている（第３頁右上欄第３行〜左下欄最下行）が記載されている。　　
　同じく刊行物２には、「・・・インクジェット記録方法において、インク成分のうち水以外の成分を一定にして水分量を変化した時に粘度が極大値を有するインク・・・」が記載され（特許請求の範囲）、また、「特に好ましいのは印字に使用する初期のインク処方をインクの水分以外の成分を一定にして・・・本発明に使用できる有機溶剤（Ａ群）としてはメタノール、エタノール、・・・上記の有機溶剤と混合して使用できる他の有機溶剤（Ｂ群）としては、グリセリン、エチレングリコール、・・・が挙げられるが、」が記載され（第２頁左下欄第１１行〜第３頁左上欄第１１行）、また実施例２として、Ｃ．Ｉ．アシッド９２、ジエチレングリコール、Ｎ−メチル−２−ピロリドン、デヒドロ酢酸ナトリウム、水からなるインク組成物が記載され（第４頁右下欄第６〜１１行）、実施例に記載のインクによれば、表面張力、鮮明性、乾燥性に優れることが記載されている（第５頁表１）が記載されている。
　同じく証明書１には、刊行物１の実施例１と同じ組成のインクについて水分を除去しつつ、水分量と粘度の測定値を基にグラフを作成し、該グラフにおいて水分量を０として外挿した際の粘度が２７ｍＰａ・ｓ程度であること、及び、刊行物１に実施例１と１２として示した２つの記録液の組成に対して水を含まない他は同じ組成のインクは同様に１７．２ｍＰａ・ｓと２１．４ｍＰａ・ｓ程度であることが記載されている。
　同じく証明書２には、刊行物２の実施例２に示した組成と同じ組成のインクについて、水を除いた他は同じ組成のインクの粘度が６．０ｍＰａ・ｓであることが記載されている。
　
５．特許異議申立人が提出した他の証拠
　甲第２号証には、「記録媒体上に無色の酸性液体を付着した後、その液体の付着部分に、染料を含有する表面張力が約５０ｄｙｎｅ/ｃｍ以下のインクを付着させて画像を形成せしめることを特徴とするインクジェット記録方法。」が記載されている（特許請求の範囲第１項）。　
　甲第３号証には、インクジェット記録用インクであって、特定の染料と特定のカウンターイオンを含む水性インクが記載されている（特許請求の範囲）。
　甲第４号証には、インクジェット記録に適した記録液として、「水溶性染料、多価アルコール誘導体及びペクチンを含有することを特徴とする記録液。」が記載されている（特許請求の範囲の請求項１）。
　甲第５号証には、インクジェット記録用の、特定の染料を含有する水性インクが記載されている（特許請求の範囲の請求項１）。
　
６．対比・判断
（１）取消理由通知の理由についての判断　
　ア．特許法第２９条第１項違反について
　刊行物１に記載の実施例１及び１２のインク組成を追試した証明書１（甲第６号証）に記載の粘度測定の結果、及び刊行物２に記載の実施例２のインク組成物を追試した証明書２（上記参考資料２）に記載の粘度測定の結果によれば、刊行物１に記載の実施例１及び１２のインク組成物及び刊行物２に記載の実施例２のインク組成物は「水分が完全に蒸発した際の２０℃での粘度が３０ｍＰａ・ｓ以下」であったと認められる。
　そこで、本件発明と刊行物１及び刊行物２に記載された発明を対比すると、本件発明における（Ａ）「ポリビニルアルコール又はポリビニルピロリドンを含む高沸点・低揮発性の水性有機溶剤」については刊行物１及び２には記載されておらす、また、刊行物１及び２にはポリビニルアルコール又はポリビニルピロリドンを使用することについて何ら示唆もされていない。
　よって、本件発明の構成と刊行物１又は２に記載の発明の構成とは相違するものであり、両者は同一とすることはできない。
　
　イ．特許法第３６条第３項違反について
　特許権者は異議意見書において、本件発明における「水分が完全に蒸発した際に固体成分が高沸点・低揮発性の水溶性有機溶剤に完全に溶解した状態を維持し、」の構成に関連して、水分と粘度の具体的測定手段と、水分が完全に蒸発した時点の認定方法について釈明をした。
　その結果、上記「」内とするための手段は明確になったものと認められるから、特許法第３６条第３項にかかる取消理由は解消した。
　
（２）特許異議申立人が主張する理由についての判断
　ア．特許法第２９条第１項違反について
　甲第２〜５号証には、水溶性有機溶剤と染料と水を含むインクジェット記録用インクが記載されており、本件発明と甲第２〜５号証に記載のインクジェット記録用インクを対比すると、本件発明は上記（Ａ）及び（Ｂ）「記録液の水分が完全に蒸発した際の２０℃での粘度が３０ｍＰａ・ｓ以下」であるのに対し、甲第２〜５号証には（Ａ）、（Ｂ）の点について記載も示唆もない。
　よって、本件発明の構成と甲第２〜５号証に記載の発明の構成とは相違するものであり、本件発明は甲第２〜５号証に記載された発明とすることはできない。
　イ．特許法第２９条第２項違反について
　本件発明は、上記（１）ア．に記載のように、刊行物１及び２に記載の発明に対して上記（Ａ）の点を有する点で相違し、また、上記（２）ア．に記載のように、甲第２〜５号証に記載の発明に対して上記（Ａ）及び（Ｂ）の点で相違する。そして、本件発明が刊行物１及び２と、甲第２〜５号証に記載の発明に対して共通して有する相違点（Ａ）について、インクジェット記録用の水性インクにポリビニルアルコール又はポリビニルピロリドンを含有させることは周知の手段ではなく、刊行物１及び２、甲第２〜５号証に記載の発明から、当業者が容易に想到できたものとすることはできない。
　そして、本件発明は、ポリビニルアルコール又はポリビニルピロリドンを含む高沸点・低揮発性の水溶性有機溶媒を含有する記録液において、水分が完全に蒸発した際の粘度を特定の範囲とすることにより、印字品質、速乾性、定着性、目詰まり性、インク保存性、吐出安定性が優れる特許明細書に記載された効果を奏するものと認められる。
　
　７．まとめ
　したがって、本件発明は、刊行物１及び２、甲第２〜５号証に記載された発明であるとすることはできず、また、これらの発明に基づいて当業者が容易に発明できたものであるとも認められない。
　
IV．むすび
　以上のとおりであるから、特許異議の申立ての理由及び証拠によっては、本件発明に係る特許を取り消すことができない。
　また、他に本件発明に係る特許を取り消すべき理由を発見しない。
　よって、結論のとおり決定する。
　
【異議決定日】
平成１３年９月１３日（２００１．９．１３）
【訂正の要旨】
訂正の要旨
（ａ）　特許請求の範囲の減縮を目的として、請求項１記載の「・・・高沸点・低揮発性の水溶性有機溶剤・・・」を「・・・ポリビニルアルコール又はポリビニルピロリドンを含む高沸点・低揮発性の水溶性有機溶剤・・・」とした。
　以下、（ａ）の訂正により、記載が一致せず不明りょうとなった発明の詳細な説明の記載内容を整合させることを目的として訂正した。
（ｂ）明細書第４頁５〜６行及び第１７頁３〜４行の「高沸点・低揮発性の水溶性有機溶剤」を「ポリビニルアルコール又はポリビニルピロリドンを含む高沸点・低揮発性の水溶性有機溶剤」とした。
（ｃ）明細書第５頁１３行〜第６頁１４行の「高沸点・低揮発性の水溶性有機溶剤として」を「ポリビニルアルコール又はポリビニルピロリドンと他の高沸点・低揮発性の水溶性有機溶剤として」とした。
（ｄ）明細書第６頁３〜１０行の「これら高沸点・低揮発性の水溶性有機溶剤は、・・・使用することができ、」を「これら高沸点・低揮発性の水溶性有機溶剤は、水分が完全に蒸発した際、染料、水溶性高分子樹脂、各種添加剤等の固体成分がポリビニルアルコール又はポリビニルピロリドンを含む高沸点・低揮発性の水溶性有機溶剤に完全に溶解した状態を維持し、その時の２０℃での粘度が３０ｍＰａ・ｓ以下になるようにポリビニルアルコール又はポリビニルピロリドンと他の高沸点・低揮発性の水溶性有機溶剤を１種あるいはそれ以上混合して使用することができ、」とした。
（ｅ）明細書第８頁１５行〜第９頁３行の実施例３を削除する。
（ｆ）明細書第９頁４行の「実施例４」を「実施例３」とした。
（ｇ）明細書１５頁１〜１１行の「上記実施例及び比較例の・・・優れた結果が得られた。」を「上記実施例及び比較例のインクの水分含有量と粘度の関係を第２図に示し、それらのインクを用いた評価結果を表１に示す。・・・比較例に比べて優れた結果が得られた。」とした。
（ｈ）明細書第１６頁の表１の実施例３の欄を削除し、実施例の４の欄の「４Ｙ」を「３Ｙ」とする。
（ｊ）第２図を、３つの実施例と２つの比較例を示した図とした。
（５４）【発明の名称】
インクジェット記録用インク
（５７）【特許請求の範囲】
　液体インクにより文字・画像の記録を行うインクジェットプリント装置に用いるインクジェット記録用インクにおいて、水と染料と
ポリビニルアルコール又はポリビニルピロリドンを含む
【発明の詳細な説明】
［産業上の利用分野］
　本発明は、液体インクにより文字・画像の記録を行うインクジェットプリント装置に用いるインクジェット記録用インクに関する。
［従来の技術］
　従来、インクジェット記録方式に用いるインクとしては、臭気・安全性等の面から水性インクが主流を占めており、各種の水溶性染料を水または水と水溶性有機溶剤の混合溶剤に溶解させ、必要により各種添加剤が添加された溶解系インクが現在使用されている。これらのインクジェット記録の長所としては、直接記録であるためプロセスが簡単である、無騒音である、カラー化が容易である、高速記録が可能である、微少インク滴を吐出させるため高解像度の記録が可能である等の優れた特徴を有しており、将来が注目されている。
［発明が解決しようとする課題］
　しかし前記の従来技術では、
（１）インクの被転写体上での乾燥速度が遅く、尾びきが生じたり、手が汚れたり、カラーインクを重ね合わせた場合、混色によるにじみが発生する。
（２）印字乾燥後の耐水性・耐擦性が悪い。
（３）目詰まりしやすいため、吐出安定性が悪い。
等の課題がある。
　前記課題を解決するために、例えば、特開昭５６−５７８６２号公報には、強塩基物質を添加し高ｐＨ（ペーハー）とし普通紙の耐水処理剤であるサンズ材やパルプ材を化学的に溶解し、ドットの広がりと吸収性を制御する方法、特開昭５８−１３６７５号公報には、インク中に分子量４万以上のポリビニルピロリドンを入れ、ドットの広がりと紙への吸収性を制御する方法が提案されているが、上記問題点を完全に解決する対策とはなっていない。
　そこで、本発明はこのような問題点を解決するもので、本発明の第１の目的は、乾燥・定着が速く、尾引きのない、高速印刷及びプロセスカラーを重ねることによるカラー記録を可能にするインクジェット記録用インクを提供することにある。本発明の第２の目的は、耐水性・耐擦性の良好なインクジェット記録用インクを提供することにある。
　本発明の第３の目的は、目詰まりの生じない、吐出安定性に優れたインクジェット記録用インクを提供することにある。
［課題を解決するための手段］
　本発明のインクジェット記録用インクは、液体インクにより文字・画像の記録を行うインクジェットプリント装置に用いるインクジェット記録用インクにおいて、水と染料と
ポリビニルアルコール又はポリビニルピロリドンを含む
［実施例］
　以下に本発明のインクジェット記録用インクの構成成分について具体的に説明する。
　本発明に使用する着色剤としては、従来のインクに使用されている水溶性染料を使用することができ、具体的には、
ＣＩ．ダイレクトブラック１９、２２、１５４
ＣＩ．ダイレクトイエロー１２、１６、８６
ＣＩ．ダイレクトレッド９、１３、１７
ＣＩ．ダイレクトブルー７８、９０
ＣＩ．アシッドブラック２、３１、５２
ＣＩ．アシッドイエロー２３、２５
ＣＩ．アシッドレッド３７、５２、９２、９４
ＣＩ．アシッドブルー９、２２
ＣＩ．フードブラック
等を挙げることができる。
　染料の添加量としては、０．５重量％未満では、所望の色調・濃度が得られず、１０重量％を超えると析出・結晶化等により目詰まり・保存安定性を低下させる可能性があるために０．５重量％から１０重量％が好ましく、より好適には１．５重量％から６重量％が好ましい。
　本発明に用いる溶媒は、蒸留水、
ポリビニルアルコール又はポリビニルピロリドンと他の
　これら高沸点・低揮発性の水溶性有機溶剤
は、水
ポリビニルアルコール又はポリビニルピロリドンを含む
ポリビニルアルコール又はポリビニルピロリドンと他の高沸点・低揮発性の水溶性有機溶剤を１種あるいはそれ以上
　又、保湿性を向上させるために尿素、水溶性トルエンスルホアミドも使用することができる。
　本発明の基本構成は以上の通りであるが、従来公知の分散剤、界面活性剤、粘度調整剤、表面張力調整剤、比抵抗調整剤、ｐＨ調整剤、防カビ剤浸透剤、キレート化剤を必要に応じて添加することができる。
　インク物性としては、動作時の温度を０℃〜５０℃に設定した場合におけるインク粘度は、ヘッドの高速応答下におけるインクの供給の安定性及びインクの液滴飛翔安定性を考慮すると吐出ノズル近傍において２０ｍＰａ・ｓ以下が必要でありさらに高速応答性実現のためには１．５〜１５ｍＰａ・ｓがより好ましい。
　以下、実施例・比較例を挙げることにより本発明を具体的に説明するが、本例が本発明を限定するものではない。
（実施例１）
ＣＩ．ダイレクトブラック１９　　　　　　　　　　　　　　　　　２．５％
ＣＩ．ダイレクトブラック１５４　　　　　　　　　　　　　　　　２．５％
グリセリン　　　　　　　　　　　　　　　　　　　　　　　　　　　　２％
Ｎ−メチル−２−ピロリドン　　　　　　　　　　　　　　　　　　　　８％
ポリビニルピロリドン（Ｋ＝３０）　　　　　　　　　　　　　　　　　１％
蒸留水　　　　　　　　　　　　　　　　　　　　　　　　　　　　　８４％
　上記の各成分を容器の中で十分混合溶解し、０．８μｍのメンブレンフィルターで減圧濾過した後、脱気処理し、表面張力５８．８ｄｙｎｅ／ｃｍの記録用インクを作製した。
（実施例２）
ＣＩ．ダイレクトブラック１９　　　　　　　　　　　　　　　　　２．５％
ＣＩ．ダイレクトブラック１５４　　　　　　　　　　　　　　　　２．５％
ジエチレングリコール　　　　　　　　　　　　　　　　　　　　　　　２％
１−３−ジメチル−２−イミダゾリジノン　　　　　　　　　　　　　　８％
ポリビニルアルコール　　　　　　　　　　　　　　　　　　　　　　　１％
蒸留水　　　　　　　　　　　　　　　　　　　　　　　　　　　　　８６％
　上記の各成分を容器の中で十分混合溶解し、０．８μｍのメンブレンフィルターで減圧濾過した後、脱気処理し、表面張力５７．４ｄｙｎｅ／ｃｍの記録用インクを作製した。
（実施例３）
ＣＩ．アシッドイエロー２３　　　　　　　　　　　　　　　　　　　　４％
グリセリン　　　　　　　　　　　　　　　　　　　　　　　　　　　　２％
Ｎ−メチル−２−ピロリドン　　　　　　　　　　　　　　　　　　　１０％
ポリビニルピロリドン（Ｋ＝３０）　　　　　　　　　　　　　　　　　１％
蒸留水　　　　　　　　　　　　　　　　　　　　　　　　　　　　　８３％
ＣＩ．アシッドレッド５２　　　　　　　　　　　　　　　　　　　　　４％
グリセリン　　　　　　　　　　　　　　　　　　　　　　　　　　　　２％
Ｎ−メチル−２−ピロリドン　　　　　　　　　　　　　　　　　　　１０％
ポリビニルピロリドン（Ｋ＝３０）　　　　　　　　　　　　　　　　　１％
蒸留水　　　　　　　　　　　　　　　　　　　　　　　　　　　　　８３％
ＣＩ．アシッドブルー９　　　　　　　　　　　　　　　　　　　　　　４％
グリセリン　　　　　　　　　　　　　　　　　　　　　　　　　　　　２％
Ｎ−メチル−２−ピロリドン　　　　　　　　　　　　　　　　　　　１０％
ポリビニルピロリドン（Ｋ＝３０）　　　　　　　　　　　　　　　　　１％
蒸留水　　　　　　　　　　　　　　　　　　　　　　　　　　　　　８３％
　上記の各成分を容器の中で十分混合溶解し、０．８μｍのメンブレンフィルターで減圧濾過した後、脱気処理し、表面張力５４．６ｄｙｎｅ／ｃｍの記録用カラーインクを作製した。
（比較例１）
ＣＩ．ダイレクトブラック１９　　　　　　　　　　　　　　　　　２．５％
ＣＩ．ダイレクトブラック１５４　　　　　　　　　　　　　　　　２．５％
グリセリン　　　　　　　　　　　　　　　　　　　　　　　　　　　１０％
Ｎ−メチル−２−ピロリドン　　　　　　　　　　　　　　　　　　　　２％
ポリビニルピロリドン（Ｋ＝３０）　　　　　　　　　　　　　　　　　１％
蒸留水　　　　　　　　　　　　　　　　　　　　　　　　　　　　　８４％
　上記の各成分を容器の中で十分混合溶解し、０．８μｍのメンブレンフィルターで減圧濾過した後、脱気処理し、表面張力６０．８ｄｙｎｅ／ｃｍの記録用インクを作製した。
（比較例２）
ＣＩ．ダイレクトブラック１９　　　　　　　　　　　　　　　　　２．５％
ＣＩ．ダイレクトブラック１５４　　　　　　　　　　　　　　　　２．５％
トリエタノールアミン　　　　　　　　　　　　　　　　　　　　　　１０％
１−３−ジメチル−２−イミダゾリジノン　　　　　　　　　　　　　　２％
ポリビニルアルコール　　　　　　　　　　　　　　　　　　　　　　　１％
蒸留水　　　　　　　　　　　　　　　　　　　　　　　　　　　　　８６％
　上記の各成分を容器の中で十分混合溶解し、０．８μｍのメンブレンフィルターで減圧濾過した後、脱気処理し、表面張力５９．４ｄｙｎｅ／ｃｍの記録用インクを作製した。
　以上のインクを用い、記録方法として、第１図に示した圧電材料と導電材料をそれぞれ層状に交互に積層した圧電素子を配列してなる圧電素子列を、一端を固定して、他端を自由端としてノズル開口に対向させた試作ヘッドを用い、一般上質紙、ボンド紙、ＰＰＣ用紙再生紙の各種被転写体に対して文字、グラフィック等を印字し、以下の評価を行った。
　評価方法を下記に示す。
１．にじみ評価
　顕微鏡による１００倍、４００倍での観察と目視による観察
◎：繊維に沿ったにじみもなく繊維上にドットが保持されている
○：繊維に沿ったにじみは少しあるが目視ではわからない
△：目視で若干にじみがわかる
×：かなりにじんで、エッジがギザギザしている
２．速乾性評価
　印字５秒後、１０秒後、３０秒後、６０秒後に紙のエッジで印字部をこする
◎：５秒後で尾引きなし
○：１０秒後で尾引きなし
△：３０秒後で尾引きなし
×：６０秒後に尾引きあり
３．定着性評価
　印字１時間後、印字面をクリップで２００ｇ／ｃｍの荷重をかけて擦ることによる汚れの発生の有無を擦る回数によって評価
◎：３０往復以上汚れ無し
○：２０〜３０往復後汚れ有り
×：２０往復以下汚れ有り
４．吐出安定性
　インクジェット記録装置にインクを充填し、印字
◎：３時間以上問題なく印字可能
Ｏ：１時間以上３時間未満問題なく印字可能
×：１時間未満でドットずれが生じる。
５．目詰まり評価
　インクジェット記録装置にインクを充填し、５０℃の環境にノズルにキャップのない状態で１ヵ月放置後
◎：すぐに印字可能
○：インクを循環させて１回クリーニングすることにより印字可能
△：インクを循環させて２回以上クリーニングすることにより印字可能
×：印字不可能
６．インク流動保存性
　インクをスライドガラスに１μｌ滴下し、１００℃の恒温槽に５分間放置した後、顕微鏡観察
○：固体成分の析出無し
×：固体成分の析出有り
７．記録濃度
　マクベス濃度計による反射Ｏ・Ｄ値の測定
８．耐水性評価
　印字１時間後の印字物を水中に５分間浸し、インクの流出を観測
○：無し
×：有り
９．耐光性評価
　キセノンランプ１００時間照射ブルースケールの退色
○：５０％未満
×：５０％以上
　インク物性調査方法を以下に示す。
Ａ．粘度
　レオメトリックス・ファーイースト社製フルード・スペクトロメーターによる２０℃での定常粘度測定
Ｂ．表面張力
　表面張力計による測定
　（協和界面科学製）
　上記実施例及び比較例のインクの水分含有量と粘度の関係を第２図に示し、それらのインクを用いた評価結果を表１に示す。
　第２図より、実施例１〜
３
▲３▼
３
［発明の効果］
　以上説明したように、本発明のインクジェット記録用インクによれば、少なくとも水と染料と
ポリビニルアルコール又はポリビニルピロリドンを含む
　又、記録インクの乾燥性・定着性が良いため、３色のプロセスカラーインクを使用することにより、高解像度なカラー画像を記録することもできる。
　又、今後急速に普及すると思われる再生紙にもにじみのない鮮明な記録を可能にするという効果も有する。
　又、本発明のインクは、吐出安定性に優れているため、従来用いられていたヘッドキャップ機構、クリーニング機構、ブラッシングによる短期的な増粘による吐出不良防止機構等のヘッドに対する負荷を低減できるためプリンタコストを大幅に安くすることができるという効果も有する。
【図面の簡単な説明】
　第１図は、本発明に用いる圧電制御方式の記録ヘッドを示す断面図。
　第２図は、各実施例及び比較例で製造したインク中の水分量と粘度との関係を示す図。
５・・・ノズル形成基板
６・・・ノズル
７・・・圧電素子
８・・・接着剤もしくは樹脂
９・・・支柱
【図面】